(57)【特許請求の範囲】
【請求項１】
リードフレームに実装された受光素子をモールドする樹脂モールド部と、該樹脂モールド部を一体になって覆うシールドケースと、前記受光素子に対向する前記樹脂モールド部に半球状に突出して設けられたレンズ部とを有する受光本体部、並びに、
前記シールドケースに嵌合するカバー部と一体的に設けられ空気層を介して前記レンズ部を覆う円筒状のレンズキャップ部と、
該レンズキャップ部に設けられ前記レンズ部の径より大きい径であってリモコン送信機からの信号が照射される受光窓に先端面が突き合わされる円柱状のライトガイド本体部とが、
透光性プラスチックによって同心状態で一体に成形されたライトガイド部、を具備し、
前記レンズ部と前記レンズキャップ部が同心状態としてあることを特徴とするリモコン受光ユニット。
【請求項２】
前記ライトガイド本体部は中空になっている請求項１に記載のリモコン受光ユニット。
【請求項３】
リードフレームに実装された受光素子をモールドする樹脂モールド部と、該樹脂モールド部を一体になって覆うシールドケースと、前記受光素子に対向する前記樹脂モールド部に半球状に突出して設けられたレンズ部とを有する受光本体部、並びに、
前記受光本体部に対して一体的に取り付けられており空気層を介してレンズ部を覆う円筒状のレンズキャップ部と、
前記レンズ部の径より大きい径であってリモコン送信機からの信号が照射される受光窓に先端面が突き合わされる円柱状のライトガイド本体部とが、
透光性プラスチックによって同心状態で一体に成形されたライトガイド部、を具備し、
前記受光本体部の樹脂モールド部と前記ライトガイド部とは一体に成形され前記レンズ部と前記レンズキャップ部が同心状態としてあることを特徴とするリモコン受光ユニット。
【発明の詳細な説明】
【０００１】
【発明の属する技術分野】
本発明は、ＴＶ（テレビ）、ＶＴＲ（ビデオテープレコーダー）、オーディオコンポーネント、エアコン等の各種電化製品に取り付けられ、リモートコントローラー（リモコン送信機）から送信される赤外線信号を受信するようになったリモコン受光ユニットに関する。
【０００２】
【従来の技術】
ＴＶ（テレビ）、ＶＴＲ（ビデオテープレコーダー）、オーディオコンポーネント、エアコン等の各種電化製品では、リモコン送信機によって送信される赤外線信号によって制御されるようになっている。図６は、リモコン制御可能になったテレビの内部構造を示す概略構成図である。リモコン送信機から送信される赤外線信号は、テレビ３０のフロントパネル３１に設けられた受光窓３２を通って、受光窓３２とリモコン受光ユニット３３との間に水平状態で設けられた円柱状のライトガイド３４を通って、リモコン受光ユニット３３に照射されるようになっている。
【０００３】
リモコン受光ユニット３３は、基板３５に取り付けられたリードフレームに受光素子であるフォトダイオードが実装されて、樹脂モールド部３３ａによってモールドされている。そして、樹脂モールド部３３ａにおけるフォトダイオードと対向した表面が、半球状に突出したレンズ部３３ｂになっており、このレンズ部３３ｂが、ライトガイド３４の端面と対向している。
【０００４】
ライトガイド３４を通過した赤外線信号は、樹脂モールド部３３ａのレンズ部３３ｂに照射されて、樹脂モールド部３３ａ内のフォトダイオードによって受光される。
【０００５】
【発明が解決しようとする課題】
このような構成のテレビ３０では、フロントパネル３１の受光窓３２に対して、ライトガイド３４の一方の端面を突き合わせて、ライトガイド３４を水平に配置した状態で、リモコン受光ユニット３３が取り付けられた基板３５をテレビ３０の内部の所定位置に装着するようになっている。この場合、基板３５をテレビ３０内の所定位置に装着する際に、リモコン受光ユニット３３のレンズ部３３ｂとライトガイド３４とが同心状態になるように位置決めする必要がある。しかしながら、ライトガイド３４とリモコン受光ユニット３３との間には適当な間隔が設けられているために、リモコン受光ユニット３３のレンズ部３３ｂとライトガイド３４とを位置決めして固定することが容易でないという問題がある。
【０００６】
ライトガイド３４とリモコン受光ユニット３３のレンズ部３３ｂとが同心状態で配置されない場合には、受光窓３２からライトガイド３４内に進入する赤外線信号の指向性によって、フォトダイオードに対する受光量が著しく低下するおそれがある。
【０００７】
本発明は、このような問題を解決するものであり、その目的は、電化製品等の内部における所定の位置に容易に配置することができ、しかも、照射される赤外線信号の受光量が低下するおそれのないリモコン受光ユニットを提供することにある。
【０００８】
【課題を解決するための手段】
本発明のリモコン受光ユニットは、リードフレームに実装された受光素子をモールドする樹脂モールド部と、該樹脂モールド部を一体になって覆うシールドケースと、前記受光素子に対向する前記樹脂モールド部に半球状に突出して設けられたレンズ部とを有する受光本体部、並びに、前記シールドケースに嵌合するカバー部と一体的に設けられ空気層を介して前記レンズ部を覆う円筒状のレンズキャップ部と、該レンズキャップ部に設けられ前記レンズ部の径より大きい径であってリモコン送信機からの信号が照射される受光窓に先端面が突き合わされる円柱状のライトガイド本体部とが、透光性プラスチックによって同心状態で一体に成形されたライトガイド部、を具備し、前記レンズ部と前記レンズキャップ部が同心状態としてあることを特徴とする。
【００１０】
本発明のリモコン受光ユニットでは、前記ライトガイド部のライトガイド本体部は中空になっている。
また、本発明のリモコン受光ユニットは、リードフレームに実装された受光素子をモールドする樹脂モールド部と、該樹脂モールド部を一体になって覆うシールドケースと、前記受光素子に対向する前記樹脂モールド部に半球状に突出して設けられたレンズ部とを有する受光本体部、並びに、前記受光本体部に対して一体的に取り付けられており空気層を介してレンズ部を覆う円筒状のレンズキャップ部と、前記レンズ部の径より大きい径であってリモコン送信機からの信号が照射される受光窓に先端面が突き合わされる円柱状のライトガイド本体部とが、透光性プラスチックによって同心状態で一体に成形されたライトガイド部、を具備し、前記受光本体部の樹脂モールド部と前記ライトガイド部とは一体に成形され前記レンズ部と前記レンズキャップ部が同心状態としてあることを特徴とする。
【００１１】
【発明の実施の形態】
以下、本発明の実施の形態を、図面に基づいて詳細に説明する。
【００１２】
図１は、本発明のリモコン受光ユニットが装着されたテレビの概略構成図である。テレビ２０は、ブラウン管２２がテレビケース２１内に収容されており、ブラウン管２２の表示画面がテレビケース２１の前面に対向している。本発明のリモコン受ユニット１０は、テレビケース２１内におけるブラウン管２２の下方に配置されている。
【００１３】
図２は、そのリモコン受光ユニット１０の側面図、図３は、その正面図である。このリモコン受光ユニット１０は、基板２３（図１参照）に取り付けられた受光本体部１１と、この受光本体部１１を覆うシールドケース１２と、このシールドケース１２とテレビケース２１のフロントパネル２１ａとの間にて水平状態で配置されたライトガイド部１３とを有している。ライトガイド部１３は、シールドケース１２に一体的に取り付けられており、ライトガイド部１３の一方の端面が、ケース２１のフロントパネル２１ａに設けられた受光用窓部２１ｂに突き合わせられている。
【００１４】
リモコン受光ユニット１０の受光本体部１１には、基板２３に取り付けられるリードフレーム１１ａに実装された受光素子であるフォトダイオード１１ｂが設けられている。また、リードフレーム１１ａには、増幅回路等を含む集積回路部等も実装されており、フォトダイオード１１ｂおよび集積回路部等が、樹脂モールド部１１ｃによってモールドされている。樹脂モールド部１１ｃには、フォトダイオード１１ｂに対向した表面部分が半球状に突出したレンズ部１１ｄが設けられている。リードフレーム１１ａの一部は、樹脂モールド部１１ｃから突出している。
【００１５】
受光本体部１１の樹脂モールド部１１ｃは、この樹脂モールド部１１ｃと一体になった金属製のシールドケース１２によって覆われている。受光本体部１１における樹脂モールド部１１ｃから突出したリードフレーム１１ａの一部は、シールドケース１２の側面を挿通して、シールドケース１２から突出している。樹脂モールド部１１ｃにおけるレンズ部１１ｄが設けられた表面を覆うシールドケース１２の表面には、レンズ部１１ｄが突出する円形状の開口部が設けられている。また、シールドケース１２における長手方向に沿って延びる各側面１２ｂの外面には、長手方向に適当な間隔をあけて一対の凹部１２ｃが、それぞれ設けられている。
【００１６】
シールドケース１２には、ライトガイド部１３が一体的に取り付けられている。ライトガイド部１３は、シールドケース１２におけるレンズ部１１ａが突出する開口部が設けられた表面を覆うカバー部１３ａと、シールドケース１２の開口部から突出したレンズ部１１ｄを覆う円筒状のレンズキャップ部１３ｂと、このレンズキャップ部１３ｂとは同心状態でカバー部１３ａから離れる方向に直線状に延出した円柱状のライトガイド本体部１３ｃとを有している。これらカバー部１３ａ、レンズキャップ部１３ｂおよびライトガイド本体部１３ｃは、アクリル樹脂等の透光性プラスチックによって一体的に成形されている。
【００１７】
ライトガイド部１３のカバー部１３ａは、シールドケース１２におけるレンズ部１１ｄが突出した表面近傍の側部に嵌合される中空の箱状に構成されており、シールドケース１２におけるレンズ部１１ｄが突出した表面に突き合わされた表面に、レンズ部１１ｄに嵌合される開口部が形成されている。シールドケース１２における長手方向に延びる各側面１２ｂに沿ったカバー部１３ａの各側面１３ｄにおける内面には、シールドケース１２の各側面１２ｂにそれぞれ設けられた各一対の凹部１２ｃ内にそれぞれ係合する一対の係合爪１３ｅがそれぞれ設けられている。そして、各係合爪１３ｅが、シールドケース１２の各凹部１２ｃに係合することによって、ライトガイド部１３が、シールドケース１２と一体的に取り付けられている。
【００１８】
レンズ部１１ｄが嵌合されるようにカバー部１３ａに設けられた開口部の周縁部には、円筒状をしたレンズキャップ部１３ｂが、レンズ部１１ｄを取り囲むように設けられている。レンズキャップ部１３ｂは、レンズ部１１ｄと同心状態になっており、レンズ部１１ｄの周囲に適当な空間が形成されるように、レンズ部１１ｄの外径よりも若干大きな内径を有している。
【００１９】
レンズキャップ部１３ｂにおける受光本体部１１の遠方側に位置する端面は、内部に嵌合されたレンズ部１１ｄとは適当な間隔をあけた状態で閉塞されており、その端面に、透光性プラスチックによって中実の円柱状に構成されたライトガイド本体部１３ｃが、レンズキャップ部１３ｂと同心状態で設けられている。ライトガイド本体部１３ｃの先端面は、テレビケース２１のフロントパネル２１ａに設けられた受光用窓部２１ｂに突き合わされている。
【００２０】
このような構成のリモコン受光ユニット１０は、テレビ２０におけるフロントパネル２１の受光窓２１ｂに、リモコン送信機から発信される赤外線信号が照射されると、その赤外線信号が、ライトガイド本体部１３ｃを通って受光本体部１１のレンズ部１１ｄに照射される。レンズ部１１ｄの周囲には空気層が設けられているために、レンズ部１１ｄに照射される赤外線信号は屈折されて、フォトダイオード１１ｂに確実に受光される。これにより、テレビ２０が制御される。
【００２１】
リモコン受光ユニット１０におけるライトガイド部１３は、透光性プラスチックによって一体成形されて、受光本体部１１を覆うシールドケース１２に一体的に取り付けられているために、シールドケース１２によって覆われた受光本体部１１が基板２３に取り付けられた状態で、シールドケース１２にて覆われた受光本体部１１に対して容易に位置決めして、テレビケース２１内の所定位置に取り付けることができる。
【００２２】
なお、ライトガイド部１３におけるライトガイド本体部１３ｃは、全体が中実状態になっている必要はなく、図４に示すように、受光窓２１ｂに突き合わされる端面部分を除いて中空になっていてもよい。この場合には、ライトガイド本体部１３ｃ内を通過する赤外線信号が劣化することが抑制され、受光本体部１１のフォトダイオード１１ｂは、赤外線信号を確実に受光することができる。
【００２３】
図５は、リモコン受光ユニットの実施の形態のさらに他の例を示す側面図である。このリモコン受光ユニット１０では、シールドケース１２が設けられず、受光本体部１１の樹脂モールド部１１ｃとライトガイド部１３とが一体的に成形されている。ライトガイド部１３は、カバー部１３ａが設けられず、レンズキャップ部１３ｂが、樹脂モールド部１１ｃにおけるレンズ部１１ｄが設けられた表面に突き合わされた状態で一体化されている。レンズキャップ部１３ｂにおける左右の各側面には、開口部１３ｆが、相互に対向するようにそれぞれ設けられている。そして、レンズキャップ部１３ｂの端面に、中実の円柱状をしたライトガイド本体部１３ａが同心状態で一体的に設けられている。
【００２４】
このような構成のリモコン受光ユニット１０は、リードフレーム１１ａに実装されたフォトダイオード１１ｂ等を樹脂モールドする際に、ライトガイド部１３も同時に成形される。この場合には、樹脂モールド部１１ｃの半球状をしたレンズ部１１ｄを成形するための一対の内金型が使用される。一対の内金型は、相互に突き合わされることによって、その内部に、レンズ部１１ｄに対応した半球状の空間が形成される。そして、一対の内金型の周囲に、樹脂モールド部１１ｃおよびライトガイド部１３の外形形状に対応した外金型が配置されて、外金型と内金型との間の空間内および内金型の内部の空間内に、透光性プラスチックが射出成形される。そして、透光性プラスチックが所定の形状に硬化すると、外金型が外されるとともに、一対の内金型が相互に分離されて、ライトガイド部１３のレンズキャップ部１３ｂに形成された各開口部１３ｆを通って、それぞれ取り除かれる。
【００２５】
ライトガイド部１３のレンズキャップ部１３ｂ内に配置されたレンズ部１１ｄの周囲には空気層が設けられているために、ライトガイド部１３のライトガイド本体部１３ａを通過してレンズキャップ部１３ｂ内に進入した赤外線信号は、その空気層によって屈折されて、樹脂モールド部１１ｃにてモールドされたフォトダイオード１１ｂによって確実に受光される。
【００２６】
【発明の効果】
本発明のリモコン受光ユニットは、このように、受光素子がモールドされた樹脂モールド部とライトガイド部とが一体的に取り付けられているために、受光素子とライトガイド部とが位置決めされた状態で、電化製品等の内部の所定位置に確実に、しかも、容易に取り付けることができる。従って、受光素子に対する赤外線信号の受光量が低下するおそれがなく、リモコン受光ユニットの感度が著しく向上する。
また、ライトガイド部のレンズキャップ部内に配置されたレンズ部の周囲には空気層が設けられているために、レンズ部に照射される赤外線信号は屈折されて、フォトダイオードに確実に受光される。
【図面の簡単な説明】
【図１】本発明のリモコン受光ユニットが装着されたテレビの概略構成図である。
【図２】そのリモコン受光ユニットの側面図である。
【図３】そのリモコン受光ユニットの正面図である。
【図４】本発明のリモコン受光ユニットの実施の形態の他の例を示す側面図である。
【図５】本発明のリモコン受光ユニットの実施の形態のさらに他の例を示す側面図である。
【図６】従来のリモコン受光ユニットが装着されたテレビの概略構成図である。
【符号の説明】
１０  リモコン受光ユニット
１１  受光本体部
１１ａ  リードフレーム
１１ｂ  フォトダイオード
１１ｃ  樹脂モールド
１１ｄ  レンズ部
１２  シールドケース
１３  ライトガイド部
１３ａ  カバー部
１３ｂ  レンズキャップ部
１３ｃ  ライトガイド本体部
２０  テレビ
２１  ケース
２１ａ  フロントパネル
２１ｂ  受光窓
２３  基板
【図１】
0003745132.tif 000002
【図２】
0003745132.tif 000003
【図３】
0003745132.tif 000004
【図４】
0003745132.tif 000005
【図５】
0003745132.tif 000006
【図６】
0003745132.tif 000007